(57)【特許請求の範囲】
【請求項１】
貯蔵室(22)の天井部分に設置された冷却器(23)と、該冷却器(23)を覆う箱形のダクト(10)と、前記貯蔵室(22)内に設置される棚網(28)と、下端部分(26b)が貯蔵室(22)の底面(27)に固定され、該棚網(28)を前記貯蔵室(22)内で支持する棚柱(26)とを備える貯蔵庫において、
前記ダクト(10)の前側中央部分に、前方に開放すると共に上下に貫通する窪み(10c)を設け、該窪み(10c)の部分に前記棚柱(26)を通して該棚柱(26)の上端部分(26a)を前記天井(25)に直接固定するよう構成した
ことを特徴とする貯蔵庫。
【請求項２】
前記ダクト(10)の前記窪み(10c)を境とする両側の底面に、夫々空気の吸込口としての通風孔(10e,10f)が穿設され、夫々の通風孔(10e,10f)に対応するダクト(10)内にファンモータ(12,14)を設置したことを特徴とする請求項１記載の貯蔵庫。
【請求項３】
前記棚柱(26)は断面コの字状に形成され、そのコの字の開口側が前記貯蔵室(22)の後側を向くようにして配設されると共に、前記窪み(10c)部分における立ち上がり壁最深部に所定高さで凹む凹部(10d)が形成され、前記冷却器(23)に接続した冷媒配管(24)を該凹部(10d)に挿通してダクト(10)外に導出し、前記棚柱(26)のコの字状の内部に通すようにした請求項１または２記載の貯蔵庫。
【発明の詳細な説明】
【０００１】
【発明の属する技術分野】
本発明は、薄型冷蔵ショーケース等の貯蔵庫に関し、更に詳細には、貯蔵室内で貯蔵物を載置する棚網の固定を好適に行なうことができる貯蔵庫に関するものである。
【０００２】
【従来の技術】
図３は、従来の冷蔵ショーケースの要部破断正面図である。この従来の冷蔵ショーケース１は、商品等の貯蔵物を貯蔵する冷蔵室２の前面に、左右にスライド可能なドア３が設けられ、また冷蔵室２の下側にはコンプレッサ４等を収納する機械室５が設けられると共に、冷蔵室２の天井部分にはコンプレッサ４で圧縮した冷媒が供給される冷却器６が設けられている。冷却器６はダクト７で覆われており、このダクト７に設置したファンモータ８ｂにより、冷却器６で冷却された空気が冷蔵室２内で循環されるようになっている。
【０００３】
前記ダクト７は、図４に示す如く、前記冷却器６を覆う大きさを持っており、その後側には、冷蔵室２内を循環した空気を取り入れる吸込口としての通風孔７ｂ,７ｃが並んで設けられており、通風孔７ｂと対応するダクト７内には、ファン８ａおよびファンモータ８ｂが取り付けられると共に、該通風孔７ｂと対応する外側にはファンカバー９が取り付けられる。なお、図示しないが、通風孔７ｃに対応して、同様にファンモータ８ｂやファンカバー９等が取り付けられている。またダクト７の前側には、前記冷却器６により冷却された空気(冷気)を冷蔵室２内に吹出す吹出口としての大きな開口部７ａが設けられている。
【０００４】
そして、前述した従来の冷蔵ショーケース１では、冷蔵室２内の空気は両ファン８ａ,８ａによって通風孔７ｂ,７ｃからダクト７内に吸込まれ、前記冷却器６で冷却された空気は前記開口部７ａから冷蔵室２内に吹き出され、冷蔵室２内を循環した空気は、通風孔７ｂ,７ｃから再びダクト７内に入って冷却器６で冷却される。
【０００５】
【発明が解決しようとする課題】
前述した従来の技術に係る冷蔵ショーケース１では、特に薄型であると、ダクト７が冷蔵ショーケース１の天井の全面を覆ってしまう構造になる。従って、冷蔵室２内に設置する商品載置用の棚網を冷蔵室内の中央で支持するための棚柱に関しては、該棚柱の上端部を天井に直接固定することはできず、ブラケット等の部品を用いて冷蔵室２の前または側壁面に固定せざるを得ず、部品点数が増えてコストが嵩んでしまうと共に組み立て作業が煩雑となる問題がある。また、ダクト７内において、２つのファン８ａ,８ａによる空気流が互いに干渉しあって冷却効率を低下させてしまうという問題も指摘される。
【０００６】
【発明の目的】
本発明は、従来の技術に係る貯蔵庫に内在している前記欠点に鑑み、これを好適に解決するべく提案されたものであって、部品点数を増加させることなく、棚柱を貯蔵室中央に簡単かつ確実に取付けることができ、更に、２つのファンによる空気流のダクト内での干渉を低減して冷却効率を高めることが可能な貯蔵庫を提供することを目的とする。
【０００７】
【課題を解決するための手段】
前記課題を克服し、所期の目的を達成するため、本発明に係る貯蔵庫は、
貯蔵室の天井部分に設置された冷却器と、該冷却器を覆う箱形のダクトと、前記貯蔵室内に設置される棚網と、下端部分が貯蔵室の底面に固定され、該棚網を前記貯蔵室内で支持する棚柱とを備える貯蔵庫において、
前記ダクトの前側中央部分に、前方に開放すると共に上下に貫通する窪みを設け、該窪みの部分に前記棚柱を通して該棚柱の上端部分を前記天井に直接固定するよう構成したことを特徴とする。
【０００８】
【発明の実施の形態】
次に、本発明に係る貯蔵庫につき、好適な実施例を挙げて、添付図面を参照しながら以下説明する。
【０００９】
図１は、本発明の一実施例に係る貯蔵庫の天井部分に設置される冷却器のダクトを示すものである。実施例に係るダクト１０は、貯蔵室２２(図２)における天井２５の略全体を覆う矩形の箱形を成し、後側は削成されて空気の吹出口としての開口部１０ａとなっている。ダクト１０における前側の立ち上がり壁１０ｂには、幅方向(前後方向と直交する方向)の中央部分において、前方に開放すると共に上下に貫通する窪み１０ｃが設けられており、該窪み１０ｃに後述する棚柱２６を上下方向に通すよう構成される。また、窪み１０ｃ部分における立ち上がり壁最深部には、所定高さで凹む凹部１０ｄが形成されている。窪み１０ｃ部分を境として、ダクト１０の左右の底面には、夫々空気の吸込口としての通風孔１０ｅ,１０ｆが穿設されており、一方の通風孔１０ｅに対応するダクト１０内にはファン１１およびファンモータ１２が取り付けられ、他方の通風孔１０ｆに対応するダクト１０内にはファン１３およびファンモータ１４が取り付けられる。そして、両方のファンモータ１２,１４に接続される電気配線１５は一本に集約され、前記凹部１０ｄに挿通されてダクト１０外に導出するようになっている。
【００１０】
図２は、図１に示すダクト１０を適用した貯蔵庫の要部分解図である。この貯蔵庫２０の機械室２１上に形成された貯蔵庫２２の天井部分に、図１で示したダクト１０が取り付けられる。このとき、ダクト１０内には冷却器２３が収納され、該冷却器２３に接続される冷媒配管２４は、前記凹部１０ｄに挿通されてダクト１０外に導出するよう構成される。
【００１１】
実施例に係るダクト１０は、前側中央部分に窪み１０ｃを備えるため、貯蔵室２２の天井２５は、窪み１０ｃの部分で露出している。そこで、実施例の貯蔵庫２０では、貯蔵物が載置される棚網２８を支持するための棚柱２６の上端部分２６ａを、窪み１０ｃを通して天井２５に直接ネジ等で固定すると共に、棚柱２６の下端部分２６ｂを貯蔵室２２の底面２７に直接ネジ等で固定している。
【００１２】
前記棚柱２６は、板材を断面コの字状に屈曲して成り、コの字の開口側は貯蔵室２２の後側を向くように取り付けられる。そして、ダクト１０の凹部１０ｄに挿通された冷媒配管２４および電気配線１５を、この棚柱２６のコの字状の内部に通し、前記機械室２１内に引き込むことで、冷媒配管２４を機械室２１内の図示しないコンプレッサに接続し、電気配線１５を電源に接続するよう構成してある。
【００１３】
前記貯蔵室２２内には、商品等の貯蔵物を陳列する棚網２８が設置されるが、この棚網２８は、前記棚柱２６および貯蔵室２２の周壁内面に夫々取り付けられる複数の棚受金具(図示せず)によって支持されるようになっている。
【００１４】
【実施例の作用】
次に、実施例に係る貯蔵庫の作用につき、以下に説明する。実施例に係る貯蔵庫２０では、前記ダクト１０を貯蔵室２２の天井２５に配設した状態で、該ダクト１０の前側中央部分に形成した窪み１０ｃの部分で天井２５は露出している。従って、前記棚柱２６の上端部分２６ａを、窪み１０ｃを通して天井２５に直接ネジ等で固定すると共に、棚柱２６の下端部分２６ｂを貯蔵室２２の底面２７に直接ネジ等で固定することができる。このように、棚網２８を貯蔵室２２の中央で支持する棚柱２６を、天井２５に直接固定することができるため、棚柱２６を固定するためのブラケット等を貯蔵室２２内に設ける必要がなく、部品点数が減少すると共に、見映えも良くなる。また、貯蔵庫２０の組み立てが容易になると共に、棚網２６の支持も確実に行なうことが可能となる。
【００１５】
更に、棚柱２６を使用して冷媒配管２４や電気配線１５を外部に露出しないように引き回すことができ、見映えも良くなる。このように、実施例では、ダクト１０と棚柱２６とがお互いに干渉しないため、ダクト１０を大きくでき、それに伴って、冷却器２３も大型のものを採用可能となる。なお、ダクト１０の窪み１０ｃに棚柱２６を通すことで、貯蔵室２２の前後方向の寸法を小さくすることが可能となり、薄型化を図り得る。
【００１６】
そして、このようにして組み立てられた貯蔵庫２０では、機械室２１内のコンプレッサによって冷媒が冷却器２３に供給されると共に、前記ファン１１,１３の回転によって貯蔵室２２内の空気が前記通風孔１０ｅ,１０ｆを介してダクト１０内に吸込まれ、この空気が冷却器２３によって冷却される。この冷気は、前記開口部１０ａを介してダクト１０内から貯蔵室２２の後面側に吹き出され、庫内を循環して棚網２８上の貯蔵物を冷却し、庫内の前側を上昇した冷気は、前記通風孔１０ｅ,１０ｆから再びダクト１０内に吸い込まれる。
【００１７】
ここで、従来の場合には、図４に示す２つの通風孔７ｂ,７ｃからダクト１０内に吸い込まれた空気は、その間に規制がないためにダクト７内で干渉し、空気の流れに乱流が生じて冷却効率を低下させていた。しかし実施例では、ダクト１０内に２つの通風孔１０ｅ,１０ｆから吸い込まれた空気は、前記窪み１０ｃが、丁度、ダクト１０を中央で仕切る規制手段として機能し、空気は規制手段によって互いに干渉することなく冷却器２３に向けてスムーズに流れ、冷却効率が向上する。
【００１８】
実施例では、貯蔵庫として貯蔵室を冷却するタイプで説明したが、ダクトの内部に配設した加熱手段により加熱した空気を貯蔵室に循環して加温するタイプの貯蔵庫であってもよい。
【００１９】
【発明の効果】
以上に説明した如く、本発明に係る貯蔵庫では、棚柱の取り付けが容易かつ確実にでき、棚柱固定用のブラケット等が不要なため、部品点数が減少すると共に庫内の見栄えも良くなるという効果を奏する。また、ダクトの窪みが冷気の流れをスムーズにするため、冷却効率を向上させることも可能となる。更に、棚柱を使用して冷媒配管を外部に露出しないように引き回すことができ、見映えも良くなる。
【図面の簡単な説明】
【図１】  本発明の一実施例に係る貯蔵庫に適用する冷却器用のダクトの斜視図である。
【図２】  実施例に係る貯蔵庫の要部分解斜視図である。
【図３】  従来の冷蔵ショーケースの要部破断正面図である。
【図４】  図３に示すダクトの斜視図である。
【符号の説明】
１０ ダクト, １０ｃ 窪み, １０ｄ 凹部, １０ｅ,１０ｆ 通風孔,
１２,１４ ファンモータ, ２２ 貯蔵室, ２３ 冷却器, ２４ 冷媒配管
２５ 天井, ２６ 棚柱, ２６ａ 上端部分, ２６ｂ 下端部分, ２７ 底面
２８ 網棚
【図１】
0003735554.tif 000002
【図２】
0003735554.tif 000003
【図３】
0003735554.tif 000004
【図４】
0003735554.tif 000005